(57)【要約】【課題】一組の紙片の見開きに表示される各月毎のカレンダーの日付と日付毎の書き込み欄の横幅を充分な長さとして、１日毎の書き込み欄の書き込みスペースを充分な大きさとするカレンダー付き手帳を提供する。【解決手段】喉側の一辺に沿って綴られる各紙片が、基片と、基片の小口側に連続し、全ての紙片について同一方向に折り返される折り返し片とを有し、見開きの一方の紙片の基片から他方の紙片の基片とその基片の上から小口側に展開した折り返し片にかけて、各月毎のカレンダーの日付と日付毎の書き込み欄が表示する。カレンダーの日付と日付毎の書き込み欄の一部を折り返し片に表示するので、日付毎の書き込み欄の幅を紙片の横幅を４等分した幅より広幅とすることができる。【選択図】図５
2015147383.tif 000002
【特許請求の範囲】
【請求項１】
複数の紙片が喉側の一辺に沿って綴られ、各月毎のカレンダーの日付と日付毎の書き込み欄が、週の前半と後半に分けられ一組の紙片の見開きの左右にかけて表示されるカレンダー付き手帳であって、
各紙片は、基片と、基片の小口側に連続し、全ての紙片について基片の上に同一方向に折り返される折り返し片とを有し、
前記一組の紙片の見開きの一方の紙片の基片から他方の紙片の基片とその基片の上から小口側に展開した折り返し片にかけて、各月毎のカレンダーの日付と日付毎の書き込み欄が表示されることを特徴とするカレンダー付き手帳。
【請求項２】
長方形の用紙が、長手方向の中間の折り曲げ線に沿って綴られ、二枚の前記紙片が一枚の用紙から形成されることを特徴とする請求項１に記載のカレンダー付き手帳。
【請求項３】
基片の上に折り返された状態の折り返し片の表面に、折り返し片で覆われる基片に表示されるカレンダーの当月についてのメモ欄が表示されることを特徴とする請求項１又は請求項２のいずれか１項に記載のカレンダー付き手帳。
【請求項４】
基片の上に折り返された状態の折り返し片の表面に、年間のカレンダーが表示されることを特徴とする請求項１又は請求項２のいずれか１項に記載のカレンダー付き手帳。
【発明の詳細な説明】
【技術分野】
【０００１】
本発明は、複数の紙片が綴られた紙片の見開きに各月毎のカレンダーの日付と日付毎の書き込み欄が表示されたカレンダー付き手帳に関する。
【背景技術】
【０００２】
従来、複数の紙片が綴られた紙片の見開きに各月毎のカレンダーの日付と日付毎の書き込み欄が表示され、仕事の予定や私的な行事や都合の予定をその予定日の書き込み欄にメモし記録しておくカレンダー付き手帳が知られている。
【０００３】
図１０は、特許文献１に記載された従来のカレンダー付き手帳１００の見開きを示す平面図であり、多数の紙片１０１が綴られた所定ページの見開きに、年間のいずれかの月（図１０では４月）のカレンダーの日付１０２と日付毎の書き込み欄１０３が表示されている。
【０００４】
このようなカレンダー付き手帳１００では、各日付毎の書き込み欄１０３に可能な限り多くのメモが書き込めるように、月毎のカレンダーの日付１０２と書き込み欄１０３は、見開きの左右両側にかけて表示される。しかしながら、複数の紙片１０１が綴られる綴り部（喉部）１０４に書き込み欄１０３が跨るとその書き込み欄１０３にはメモを書き込みづらくなるので、例えば、図に示すように、週の前半（日曜から火曜）の日付１０２と書き込み欄１０３が見開きの左側の紙片１０１Ｌに、週の後半（水曜から土曜）の日付１０２と書き込み欄１０３が見開きの右側の紙片１０１Ｒに表示される。
【先行技術文献】
【特許文献】
【０００５】
【特許文献１】特開２０１２−１１３４４９号公報
【発明の概要】
【発明が解決しようとする課題】
【０００６】
従来のカレンダー付き手帳１００によれば、各日付１０２毎の書き込み欄１０３の横幅を見開きの左右で等幅とするが、見開きの一方（右側）の紙片１０１Ｒを水平方向に４等分して１週の４日分の日付１０２と書き込み欄１０３を表示するので、１週の３日分のみを紙片１０１Ｌに表示するだけで充分である他方（左側）についても紙片１０１Ｌを４等分して日付毎の書き込み欄１０３を表示する必要があり、紙片１０１を４等分する横幅より広幅の書き込み欄１０３を表示することができない。その結果、１日毎の書き込み欄に充分な大きさを確保できない。
【０００７】
また、１週の３日分の日付１０２と書き込み欄１０３を表示する紙片１０１Ｌの余白を利用して、その月の予定や計画を書き込む当月のメモ欄１０５を表示しているが、余白部分であるために、充分な書き込みスペースを確保できない。
【０００８】
見開きの左右の紙片１０１Ｌ、１０１Ｒの小口側にいわゆる観音開きで展開する折り返し片を連続させて、見開きの水平方向幅を拡大し、日付毎の書き込み欄１０３を拡大することも可能であるが、見開きの左右の紙片１０１Ｌ、１０１Ｒに連続させる折り返し片は、互いに逆方向に折り返されるので、紙片１０１を括ることによる次ページの紙片１０１の見開きでは、折り返し片を展開して見開きを拡大させることができない。
【０００９】
一方、１月から１２月までの各月のカレンダーは、いずれかの月が個性を有するというものではなく同一の属性であるので、紙片１０１のページを括ることにより順に見開きに表示される各月毎のカレンダーの日付と日付毎の書き込み欄も、同一の大きさの見開きに同一のレイアウトで表示することが望まれ、観音開きで展開する折り返し片を連続させることはできない。
【００１０】
また、観音開きで展開される折り返し片の余白に、その月の予定や計画を書き込む当月のメモ欄を所定の大きさで確保できるが、折り返し片を展開しなければ当月のメモ欄に書き込むことができない。
【００１１】
本発明は、このような従来の問題点を考慮してなされたものであり、一組の紙片の見開きに表示される各月毎のカレンダーの日付と日付毎の書き込み欄の横幅を充分な長さとして、１日毎の書き込み欄の書き込みスペースを充分な大きさとするカレンダー付き手帳を提供することを目的とする。
【００１２】
また、紙片のページを括ることにより順に見開きに表示される各月毎のカレンダーの日付と日付毎の書き込み欄を、同一の大きさの見開きに同一のレイアウトで表示するカレンダー付き手帳を提供することを目的とする。
【００１３】
更に、見開きに表示されるカレンダーの月の予定や計画を書き込む当月のメモ欄に、折り返された折り返し片を展開することなく書き込むことが可能なカレンダー付き手帳を提供することを目的とする。
【課題を解決するための手段】
【００１４】
上述の目的を達成するため、請求項１に記載のカレンダー付き手帳は、複数の紙片が喉側の一辺に沿って綴られ、各月毎のカレンダーの日付と日付毎の書き込み欄が、週の前半と後半に分けられ一組の紙片の見開きの左右にかけて表示されるカレンダー付き手帳であって、各紙片は、基片と、基片の小口側に連続し、全ての紙片について基片の上に同一方向に折り返される折り返し片とを有し、前記一組の紙片の見開きの一方の紙片の基片から他方の紙片の基片とその基片の上から小口側に展開した折り返し片にかけて、各月毎のカレンダーの日付と日付毎の書き込み欄が表示されることを特徴とする。
【００１５】
各月毎のカレンダーの日付と日付毎の書き込み欄の一部を折り返し片に表示するので、見開きの一組の紙片の基片には、喉側を中心に左右同一幅で４等分する横幅より広幅の書き込み欄を表示できる。
【００１６】
また、紙片に折り返し片を加えても、綴じられた紙片を順に括って連続して表れる見開きの形状を同一形状とすることができるので、月毎の個性を有しない１月から１２月までの各月のカレンダーの日付と日付毎の書き込み欄を同一レイアウトで表示できる。
【００１７】
請求項２に記載のカレンダー付き手帳は、長方形の用紙が、長手方向の中間の折り曲げ線に沿って綴られ、二枚の前記紙片が一枚の用紙から形成されることを特徴とする。
【００１８】
一枚の長方形の用紙の折り曲げ線から両側に、折り曲げ線を中心に同一方向に折り返される折り返し片を形成することにより、一枚の用紙から二枚の紙片が形成される。
【００１９】
請求項３に記載のカレンダー付き手帳は、基片の上に折り返された状態の折り返し片の表面に、折り返し片で覆われる基片に表示されるカレンダーの当月についてのメモ欄が表示されることを特徴とする。
【００２０】
折り返し片が基片の上に折り返された状態では、見開きに、一組の一方の紙片の基片と、他方の紙片の折り返し片の表面が表れ、見開きの左右に、基片に表示される月毎のカレンダーの日付と日付毎の書き込み欄の一部と、そのカレンダーの当月についてのメモ欄が対比して表示される。
【００２１】
日付と書き込み欄が表示される折り返し片の逆側の表面を利用するので、メモ欄を充分に広い大きさとすることができる。
【００２２】
請求項４に記載のカレンダー付き手帳は、基片の上に折り返された状態の折り返し片の表面に、年間のカレンダーが表示されることを特徴とする。
【００２３】
折り返し片を基片の上から展開した状態では、綴じられた紙片の他のページの見開きの側方に常に年間のカレンダーが表示される。
【発明の効果】
【００２４】
請求項１の発明によれば、各月毎のカレンダーの日付と日付毎の書き込み欄の横幅を充分な長さとして、１日毎の書き込み欄の書き込みスペースを充分な大きさとすることができる。
【００２５】
また、紙片にカレンダーの日付と日付毎の書き込み欄の一部を表示する折り返し片を加えても、各月のカレンダーを見開きに同一レイアウトで表示できる。
【００２６】
請求項２の発明によれば、同一方向に折り返される折り返し片を有する複数の紙片を、その半数の用紙を綴って形成できる。
【００２７】
請求項３の発明によれば、折り返し片を展開することなく、見開きの他側の基片に表示されるカレンダーの日付や書き込み欄をみながら、その月の予定や計画をメモ欄へ書き込むことができる。
【００２８】
また、カレンダーの日付や書き込み欄の一部を裏面に表示する折り返し片の表面を利用するので、メモ欄に広い書き込みスペースが得られる。
【００２９】
請求項４の発明によれば、年間のカレンダーを参照して、各月のカレンダーの日付と日付毎の書き込み欄に書き込むことができる。
【図面の簡単な説明】
【００３０】
【図１】本願発明の一実施の形態に係るカレンダー付き手帳１の各紙片２を綴る前の各構成を示す分解斜視図である。
【図２】一組の紙片２Ｌ、２Ｒの平面図である。
【図３】一組の紙片２Ｌ、２Ｒの背面図である。
【図４】１月の日付と日付毎の書き込み欄の一部が表示された紙片２Ｌ、２Ｒの平面図である。
【図５】図２に示す紙片２Ｌ、２Ｒから、紙片２Ｒの折り返し片９を展開した状態の見開きを示すカレンダー付き手帳１の斜視図である。
【図６】図５に示す見開きに、図４に示す紙片２Ｌの折り返し片９を展開した状態を示すカレンダー付き手帳１の斜視図である。
【図７】図５に示す見開きから紙片２Ｒの折り返し片９を紙片２Ｒの基片８の上に折り返した状態のカレンダー付き手帳１の斜視図である。
【図８】図７に示す見開きから紙片２Ｒを括った翌月の見開きを示すカレンダー付き手帳１の斜視図である。
【図９】各紙片２をリング綴じ具２２で綴じた他の実施の形態を示すカレンダー付き手帳２０の斜視図である。
【図１０】従来のカレンダー付き手帳１００の見開きを示す平面図である。である。
【発明を実施するための形態】
【００３１】
本発明の一実施の形態に係るカレンダー付き手帳１を図１乃至図８を用いて説明する。カレンダー付き手帳１は、図１に示すように、表紙４Ｌと裏表紙４Ｒとからなる手帳カバー４と、１枚の用紙５から左右一組の紙片２Ｌ、２Ｒが形成される７枚の用紙５で構成される。
【００３２】
用紙５は、長方形帯状の輪郭で、各組の紙片２Ｌ、２Ｒはその長手方向の中間で折り曲げられる折り曲げ線６を境界としてその左右に一体に形成される。図５乃至図８に示すように、カレンダー付き手帳１は、同一形状の７枚の用紙５の輪郭を一致させて重ね、各用紙５の折り曲げ線６に沿って表紙４Ｌと裏表紙４Ｒの境界へ綴り、これにより、折り曲げ線６を喉側の一辺として１４枚の紙片２を手帳カバー４に綴っている。
【００３３】
各紙片２は、小口側に向かう幅方向のほぼ中間の折り返し線７を境界として喉側の基片８と小口側の折り返し片９に分けられ、折り返し片９は、折り返し線７で上方から見てここでは時計回りに折り返されて基片８の上に重ねられる。従って、一枚の用紙５から形成される一組の紙片２Ｌ、２Ｒの各折り返し片９は、手帳カバー４に綴られる折り曲げ線６の軸回りに折り返し線７で同一方向に折り返され、これにより手帳カバー４に綴られる紙片２のいずれのページを括っても、図７に示す見開きの形状となり、見開きの左側に基片８が、右側に基片８を覆う折り返し片９の表面（以下、折り返し片９が基片８の上に折り返されて見開きに表れる面を表面９ａと、基片８に対向する面を裏面９ｂという）が表れる。
【００３４】
紙片２のいずれかのページを括り、見開きの左側の基片８から右側の紙片２の折り返し片９を展開したその裏面９ｂにかけて、図５に示すように、カレンダーのいずれかの月の日付１０と各日付毎の書き込み欄１１が一週の各曜日を一列とする行列状に長方形枠で区切られて表示される。すなわち、見開きの左側に表れる基片８に、各月の週の前半である日曜、月曜、火曜の日付１０と各日付毎の書き込み欄１１が、見開きの右側の折り返し片９を展開して表れる基片８に、見開きの左側のカレンダーに連続する同月の週の中間である水曜、木曜、金曜の日付１０と各日付毎の書き込み欄１１が、展開した折り返し片９の裏面９ｂに、カレンダーの週末である土曜の日付１０と各日付毎の書き込み欄１１が、曜日毎に縦一列に長方形枠で区切られて表示される。また、折り返し片９の裏面９ｂの残りの余白は、ここでは任意の目的でメモを書き込み可能な自由書き込み欄１７としている。
【００３５】
図５は、見開きに２０１４年７月の日付１０と各日付毎の書き込み欄１１を表示した一例を示し、このように本実施の形態では、見開きの左右の基片８に、１週の３曜日分の書き込み欄１１を表示するので、各日付の書き込み欄１１を基片８の横幅をほぼ３等分した幅とすることができ、充分な書き込みスペースを確保できる。
【００３６】
見開きの右側で基片８の上に折り返される折り返し片９の表面９ａには、図７に示すように、見開きの左側の基片８や折り返し片９で覆われる左側の基片８に表示されるカレンダーの当月についての月間目標や月間スケジュールを書き込むメモ欄１２と、その下方に、当月を含む前後の月のカレンダー１４が表示されている。従って、折り返し片９を展開しない見開きには、見開きの左側に表示されるカレンダーの月について、その月の月間目標や月間スケジュールを書き込むメモ欄１２が対比してその右側に表示される。
【００３７】
このように紙片２を括って隣り合う見開きに、年間の連続する各月についての上述のカレンダーやメモ欄１２を表示するための用紙５の表示を、図２と図３を用いて説明する。図２と図３は、手帳カバー４に対して最上層に綴られる用紙５の平面と背面を示し、図２に示すように、用紙５の左側の紙片２Ｌの基片８から右側の紙片２Ｒの折り返し片９の裏面９ｂにかけて２０１４年７月の日付１０と各日付毎の書き込み欄１１が表示され、右側の裏面９ｂの余白に２０１４年７月の表示と自由書き込み欄１７が表示される。また、左側の基片８の小口側に連続する折り返し片９（図２において紙面の奥行き方向に折り返される）の表面９ａには、その前月である２０１４年６月の月間目標や月間スケジュールを書き込むメモ欄１２が表示される。
【００３８】
図３に示すように、用紙５の背面の左側の紙片２Ｌの基片８には、翌月の２０１４年８月の週の前半である日曜、月曜、火曜の日付１０と各日付毎の書き込み欄１１が、基片８の小口側に連続する折り返し片９の表面９ａに、前ページの見開きの２０１４年７月の月間目標や月間スケジュールを書き込むメモ欄１２が表示される。また、用紙５の背面の右側の紙片２Ｒの基片８から折り返し片９の裏面９ｂにかけて、２０１４年７月の前月の６月のカレンダーの水曜から土曜の日付１０と各日付毎の書き込み欄１１が表示され、裏面９ｂの余白に自由書き込み欄１７が表示される。
【００３９】
また、手帳カバー４に対して最下層に綴られる用紙５の平面は、図４に示すように、用紙５の左側の紙片２Ｌの基片８に、２０１４年１月の週の前半である日曜、月曜、火曜の日付１０と各日付毎の書き込み欄１１が、基片８の小口側に連続する折り返し片９の表面９ａに年間のカレンダー１５が表示され、右側の紙片２Ｒの基片８から折り返し片９の裏面９ｂにかけて、空白のメモ欄１６が表示される。
【００４０】
上述の用紙５を手帳カバー４に綴ったカレンダー付き手帳１は、１月から１２月までの連続する月毎のカレンダーの日付１０と各日付毎の書き込み欄１１が、紙片２を括る毎に見開きに表れる。このように構成されたカレンダー付き手帳１は、図７に示すように、見開きの右側の折り返し片９を基片８の上に折り返したままの状態では、上述したように見開きの左側に表示されるカレンダーの月について、その月の月間目標や月間スケジュールを書き込むメモ欄１２が対比してその右側に表示される。
【００４１】
また、図７示す見開きから、図５に示すように折り返し片９を展開すると、その月の日付１０と各日付毎の書き込み欄１１及び自由書き込み欄１７が見開きに表示される。更に、図５若しくは図７に示す見開きの状態では、手帳カバー４に対して最下層に綴られる用紙５の左側の紙片２Ｌの折り返し片９を展開させておくことも可能である。この折り返し片９を展開させれば、図６に示すように、上記見開きの左側に折り返し片９の表面９ａに表れる年間のカレンダー１５が表示され、日付毎の書き込みや月間目標の書き込みに参照できる。
【００４２】
上述の実施の形態では、２枚の左右一組の紙片２Ｌ、２Ｒを１枚の用紙５から形成したが、分離された紙片毎に手帳カバーに綴るカレンダー付き手帳であってもよい。以下、複数の紙片２１をリング綴じ具２２で綴った本発明の第２実施の形態にかかるカレンダー付き手帳２０を図９を用いて説明する。第１実施の形態に係るカレンダー付き手帳１とは、一枚の用紙５の左右に形成される紙片２Ｌ、２Ｒをそれぞれ独立する一枚の紙片２１とした構成で相違するだけであるので、カレンダー付き手帳１と同一若しくは同様に作用する構成については、同一の番号を用いてその説明を省略する。
【００４３】
カレンダー付き手帳２０は、手帳カバー４と同一形状の１４枚の紙片２１とからなり、各紙片２１の喉側の一辺に沿って穿設される多数のリング孔２２ａへ、それぞれ手帳カバー４の中央に挿通させたリング２２ｂを挿通させるリング綴じ具２２で、手帳カバー４の中央に１４枚の紙片２１が綴られる。
【００４４】
各紙片２１は、横幅の中心に沿った折り返し線７で折り返し片９がそれぞれ同方向（上方からみて時計回り）に折り返されて基片８の上に折り返され、連続して綴られる紙片２１、２１間の見開きに、図５乃至図８に示すような月毎の日付１０や書き込み欄１１、当月のメモ欄１２等が表示される。
【００４５】
上述の第１実施の形態では糊付けにより、第２実施の形態ではリング綴じ具２２を用いて、各紙片２Ｌ、２Ｒ、２１を綴じているが、綴じ手段はこれらに限定されることなく、リング綴じ具、糊付け、糸綴じ等の公知の綴じ手段のいずれかを適宜選択して手帳を製本する。
【００４６】
また、折り返し片９の折り返し方向を、手帳１、２０を上方からみて時計回り方向として説明したが、各紙片２Ｌ、２Ｒ、２１について同一方向であれば、逆方向に折り返すものであってもよい。
【００４７】
また、見開きの一方の紙片の基片８から他方の紙片の折り返し片９の裏面９ｂまで、各月の日付１０と書き込み欄１１が表示されていれば、その余白や折り返し片９の表面９ｂの表示は任意であり、上述の実施の形態に限らない。
【００４８】
更に、見開きの一方の紙片の基片８から他方の紙片の折り返し片９の裏面９ｂにかけて、１週間の各曜日の日付が表示されていれば、そのレイアウトは任意であり、例えば、見開きの一方の紙片の基片８に、日曜、月曜、他方の紙片の基片８に、火曜、水曜、木曜、他方の紙片の折り返し片９に、金曜、土曜の各日付を表示して、月毎のカレンダーを見開きに表示してもよい。
【産業上の利用可能性】
【００４９】
本発明は、各月毎の日付とその日付についての書き込み欄が、見開きに表示されるカレンダー付き手帳に適している。
【符号の説明】
【００５０】
１、２０  カレンダー付き手帳
２  紙片
５  用紙
６  折り曲げ線
８  基片
９  折り返し片
９ａ  折り返し片の表面
１０  カレンダーの日付
１１  日付毎の書き込み欄
１２  当月のメモ欄
１５  年間カレンダー
【図１】
2015147383.tif 000003
【図２】
2015147383.tif 000004
【図３】
2015147383.tif 000005
【図４】
2015147383.tif 000006
【図５】
2015147383.tif 000007
【図６】
2015147383.tif 000008
【図７】
2015147383.tif 000009
【図８】
2015147383.tif 000010
【図９】
2015147383.tif 000011
【図１０】
2015147383.tif 000012